(57)【要約】【課題】加工プログラム中で、加減速動作の決定に使用する先読みブロック数が不足することにより、速度制御異常が発生する可能性の高い箇所を検知すると共に、先読み処理機能を、加工プログラム先頭からの先読みと並行して、当該箇所から開始することが可能な数値制御装置を提供する。【解決手段】数値制御装置１００は、加工プログラムを実行するプログラム実行部１１１と、加工プログラムの実行と並列して、加工プログラムを異なるブロックから同時に先読みする、第１プログラム先読み部１１２ａ及び第２プログラム先読み部１１２ｂを含むプログラム先読み部１１２と、記憶部に少なくとも第１領域及び第２領域を区画し、第１プログラム先読み部１１２ａに対して、第１領域に先読みブロックを蓄積する先読みを指示し、第２プログラム先読み部１１２ｂに対して、第２領域に先読みブロックを蓄積する先読みを指示する先読み振り分け部１１５とを備える。【選択図】図３
2020071696.tif 000002
【特許請求の範囲】
【請求項１】
複数のブロックから構成され、軸の加減速を制御するための加工プログラムを実行することにより、前記軸を有する工作機械を制御する数値制御装置であって、
制御部と記憶部とを備え、
前記制御部は、
前記加工プログラムを実行するプログラム実行部と、
前記加工プログラムの実行と並列して、前記加工プログラムを異なるブロックから同時に先読みする、第１プログラム先読み部及び第２プログラム先読み部を含むプログラム先読み部と、
前記記憶部に少なくとも第１領域及び第２領域を区画し、前記第１プログラム先読み部に対して、前記第１領域に先読みブロックを蓄積する先読みを指示し、前記第２プログラム先読み部に対して、前記第２領域に先読みブロックを蓄積する先読みを指示する先読み振り分け部と、を備える、数値制御装置。
【請求項２】
前記プログラム実行部によって実行中のブロックの番号である第１シーケンス番号と、当該実行と同時に、前記第１プログラム先読み部によって先読みされるブロックの番号である第２シーケンス番号との差分である先読みブロック数を算出する先読みブロック数算出部と、
前記先読みブロック数が規定値を下回る時点のブロックである枯渇ブロックを検知する枯渇ブロック検知部とを更に備え、
前記先読み振り分け部は、前記枯渇ブロックを検知した後、前記第１プログラム先読み部に対し、前記加工プログラムの開始ブロックからの先読みを指示し、前記第２プログラム先読み部に対し、前記枯渇ブロックからの先読みを指示する、請求項１に記載の数値制御装置。
【請求項３】
前記加工プログラムの各ブロックにおける加工精度を示す加工精度指数を算出する加工精度指数算出部と、
前記加工精度指数が規定値を上回る時点のブロックである加工精度要求ブロックを検知する加工精度要求ブロック検知部とを更に備え、
前記先読み振り分け部は、前記加工精度要求ブロックを検知した後、前記第１プログラム先読み部に対し、前記加工プログラムの開始ブロックからの先読みを指示し、前記第２プログラム先読み部に対し、前記加工精度要求ブロックからの先読みを指示する、請求項１に記載の数値制御装置。
【発明の詳細な説明】
【技術分野】
【０００１】
本発明は、数値制御装置に関する。
【背景技術】
【０００２】
昨今の製造業では、ＩＴ部品等の小型化・精密化が進み、高速・高精度加工に対する関心が高まっている。高速・高精度加工におけるワークの加工プログラムは、さらなる高品位での加工を実現するため、より小さなオーダーでの許容誤差（トレランス）で作成されることが増加している傾向にある。
【０００３】
従来は、ＰＣ処理能力の観点から現実的ではなかった小さいトレランスの加工プログラムは、近年ではＰＣ性能とＣＡＭ（Computer Aided Manufacturing）性能の向上から、十分に作成可能となってきており、その勢いは今後も加速すると考えられている。
【０００４】
また、トレランス以外にも高品位加工における重要な要素として微小直線を均一化することが挙げられており、各軸の加減速を一定化することで振動を低減することにより、加工面の品位を向上させるため、均一な微小直線を適用した高品位加工プログラムは増加傾向にある。
これらのことから、近年では、加工プログラムにおいてブロック数が増加している。
【０００５】
従来技術では、数値制御装置によってプログラムを先読みし、先読みブロック数だけ事前に貯蓄したプログラムから、ＦＩＦＯ（先入れ先出し）によって、次に動作するブロックのプログラムを読み出して処理することにより、加減速動作を決定して、軸制御を行っている。
【０００６】
しかしながら、これらの高品位加工プログラムにおいて、以下のような課題があった。すなわち、微小直線長さが短く、指令速度が高速なため、プログラムの実行にかかる処理時間が、先読みの処理にかかる時間よりも小さい場合、加減速動作の決定に使用する先読みブロック数を確保できない結果、プログラムの挙動を考慮した加減速が定まらず、速度変化が一定ではなくなり、高品位な加工面が得られないことがあった。
【０００７】
図１１は、速度変化が不安定となった際の、加減速の経時変化を示すグラフである。図１１に示すように、当初の速度は指令速度６０００ｍｍ/ｍｉｎで安定的に推移していたものの、２０００ｍｍ／ｍｉｎとなった段階で、プログラムの実行にかかる処理時間が短すぎて、加減速動作の決定に使用する先読みブロック数を確保できなくなったため、図１１内の矢印に示すように不安定化し、微細動する現象が発生する。とくにこれらの現象は、５軸加工等、軸数が増加して数値制御装置による処理能力が低下すると顕著なものとなる。逆に言えば、数値制御装置の先読みを実行したり加工プログラムを実行したりする処理能力を向上させることにより、これらの現象を解決できるものの、更にプログラムの微細化や機械の改良による指令速度が向上した場合には、また同様の問題が発生する。
【０００８】
この点、特許文献１に係る発明は、数値制御装置において、ＮＣデータを解析した解析データを加減速補間手段に使用されるまで、ＦＩＦＯで保持するバッファ内のデータ数の過不足を監視する技術であって、とりわけ、バッファ内に存在することが予測されるデータ数が下限となる閾値を下回る場合に、データ不足と判断する技術を開示している。
【先行技術文献】
【特許文献】
【０００９】
【特許文献１】特許第３７２３０１５号公報
【発明の概要】
【発明が解決しようとする課題】
【００１０】
データ不足となる個所としては、加工プログラムにおいて、例えば、上記のように微小直線が連続する箇所が挙げられ、このような箇所においては速度制御異常が発生する。
【００１１】
基本的に荒加工では微小直線が連続する加工はなく、先読みブロック数が常に上限いっぱいとなり、処理能力余剰となるケースがある。一方で、仕上げ加工では、加工開始直前に先読み機能が停止してしまう工具交換が必要となったり、キャンセルコードが入ったりしたために、先読みブロック数が溜まることなく加工を開始してしまい、微小直線が連続する加工箇所に入り先読みブロック数が枯渇してしまう問題がある。
【００１２】
図１２は、このようなケースにおける先読みブロック数の経時変化を示すグラフである。荒加工時には、必要とされる先読みブロック数よりもかなり多いブロック数である、最大先読みブロック数分の１０００ブロックが維持される。その後、工具交換が必要となったり、キャンセルコードが入ったりすることによる先読み機能停止区間において、先読みブロック数が減少し、やがて０となる。その後、加工プログラム中の仕上げ加工に対応するブロックの処理に移行するが、先読みブロック数が３００までしか増加しない状態で仕上げ加工が開始されるため、先読みブロック数はやがて枯渇する。
【００１３】
この点、特許文献１に係る技術は、データ不足と判断した場合に、単にＮＣデータ解析処理タスクの優先順位を上げるのみであり、ＮＣデータ内のどのデータ、あるいはどの位置で、データ不足となるかを判断するものではなく、延いては、データ不足となる箇所における速度制御異常に対応するものではなかった。
【００１４】
本発明は、送り速度や切削速度等の安定化のため、加工プログラム中で、加減速動作の決定に使用する先読みブロック数が不足することにより、速度制御異常が発生する可能性の高い箇所を検知すると共に、先読み処理機能を、加工プログラム先頭からの先読みと並行して、当該箇所から開始することが可能な数値制御装置を提供することを目的とする。
【課題を解決するための手段】
【００１５】
（１）  本発明に係る数値制御装置は、複数のブロックから構成され、軸の加減速を制御するための加工プログラムを実行することにより、前記軸を有する工作機械を制御する数値制御装置であって、制御部（例えば、後述の「ＣＰＵ１１」）と記憶部（例えば、後述の「ＲＡＭ１３」）とを備え、前記制御部は、前記加工プログラムを実行するプログラム実行部（例えば、後述の「プログラム実行部１１１」）と、前記加工プログラムの実行と並列して、前記加工プログラムを異なるブロックから同時に先読みする、第１プログラム先読み部（例えば、後述の「第１プログラム先読み部１１２ａ」）及び第２プログラム先読み部（例えば、後述の「第２プログラム先読み部１１２ｂ」）を含むプログラム先読み部（例えば、後述の「プログラム先読み部１１２」）と、前記記憶部に少なくとも第１領域と第２領域を区画し、前記第１プログラム先読み部に対して、前記第１領域に先読みブロックを蓄積する先読みを指示し、前記第２プログラム先読み部に対して、前記第２領域に先読みブロックを蓄積する先読みを指示する先読み振り分け部（例えば、後述の「先読み振り分け部１１５」）と、を備える。
【００１６】
（２）  （１）に記載の数値制御装置は、前記プログラム実行部によって実行中のブロックの番号である第１シーケンス番号と、当該実行と同時に、前記第１プログラム先読み部によって先読みされるブロックの番号である第２シーケンス番号との差分である先読みブロック数を算出する先読みブロック数算出部（例えば、後述の「先読みブロック数算出部１１３」）と、前記先読みブロック数が規定値を下回る時点のブロックである枯渇ブロックを検知する枯渇ブロック検知部（例えば、後述の「枯渇ブロック検知部１１４」）とを更に備え、前記先読み振り分け部は、前記枯渇ブロックを検知した後、前記第１プログラム先読み部に対し、前記加工プログラムの開始ブロックからの先読みを指示し、前記第２プログラム先読み部に対し、前記枯渇ブロックからの先読みを指示してもよい。
【００１７】
（３）  （１）に記載の数値制御装置は、前記加工プログラムの各ブロックにおける加工精度を示す加工精度指数を算出する加工精度指数算出部（例えば、後述の「加工精度指数算出部１１６」）と、前記加工精度指数が規定値を上回る時点のブロックである加工精度要求ブロックを検知する加工精度要求ブロック検知部（例えば、後述の「加工精度要求ブロック検知部１１７」）とを更に備え、前記先読み振り分け部は、前記加工精度要求ブロックを検知した後、前記第１プログラム先読み部に対し、前記加工プログラムの開始ブロックからの先読みを指示し、前記第２プログラム先読み部に対し、前記加工精度要求ブロックからの先読みを指示してもよい。
【発明の効果】
【００１８】
本発明によれば、送り速度や切削速度等の安定化のため、加工プログラム中で、加減速動作の決定に使用する先読みブロック数が不足することにより、速度制御異常が発生する可能性の高い箇所を検知すると共に、先読み処理機能を、加工プログラム先頭からの先読みと並行して、当該箇所から開始することが可能となる。
【図面の簡単な説明】
【００１９】
【図１】本発明の第１実施形態に係る数値制御装置を含む制御システムの構成を示す図である。
【図２】本発明の第１実施形態に係る数値制御装置の構成を示す図である。
【図３】本発明の第１実施形態に係る数値制御装置の機能ブロックを示す図である。
【図４】本発明の第１実施形態に係る数値制御装置の機能ブロックを示す図である。
【図５】本発明の第１実施形態において、先読み振り分け部によるメモリの振り分けの例を示す図である。
【図６】本発明の第１実施形態における先読みブロック数の経時変化を示すグラフである。
【図７】本発明の第１実施形態に係る数値制御装置の動作を示すフローチャートである。
【図８】本発明の第１実施形態に係る数値制御装置の動作を示すフローチャートである。
【図９】本発明の第２実施形態に係る数値制御装置の機能ブロックを示す図である。
【図１０】本発明の第２実施形態に係る数値制御装置の動作を示すフローチャートである。
【図１１】先読みブロック数を確保できなくなったことによる速度の不安定化を示すグラフである。
【図１２】従来技術における先読みブロック数の経時変化を示すグラフである。
【発明を実施するための形態】
【００２０】
〔１  第１実施形態〕
以下、本発明の第１実施形態について図１〜図８を参照することにより説明する。
【００２１】
〔１．１  発明の構成〕
図１は、本発明の第１実施形態に係る数値制御装置１００と、当該数値制御装置１００によって制御される工作機械２００とを含む制御システム１０の構成を示す。
【００２２】
数値制御装置１００は、後述の機能を備えることにより、工作機械２００に対して動作指令を出力し、工作機械２００を数値制御する装置である。数値制御装置１００の構成及び機能の詳細については後述する。
【００２３】
工作機械２００は、切削加工等の所定の機械加工を行う装置である。工作機械２００は、ワークを加工するために駆動するモータや、このモータに取り付けられた主軸や送り軸や、これら各軸に対応する治具や工具等を備える。そして、工作機械２００は、数値制御装置１００から出力される動作指令に基づいてモータを駆動させることにより所定の機械加工を行う。ここで、所定の機械加工の内容に特に限定はなく、切削加工以外にも、例えば研削加工、研磨加工、圧延加工、あるいは鍛造加工といった他の加工であってもよい。
【００２４】
図２は、本発明の実施形態に係る数値制御装置１００の構成例である。数値制御装置１００は、主として、ＣＰＵ１１と、ＲＯＭ１２と、ＲＡＭ１３と、ＣＭＯＳ１４と、インタフェース１５、１８、１９と、ＰＭＣ（プログラマブル・マシン・コントローラ）１６と、Ｉ／Ｏユニット１７と、軸制御回路３０〜３４と、サーボアンプ４０〜４４と、スピンドル制御回路６０と、スピンドルアンプ６１とを備える。
【００２５】
ＣＰＵ１１は数値制御装置１００を全体的に制御するプロセッサである。ＣＰＵ１１は、ＲＯＭ１２に格納されたシステムプログラムを、バス２５を介して読み出し、該システムプログラムに従って数値制御装置１００の全体を制御する。
【００２６】
ＲＡＭ１３には、一時的な計算データや表示データ、及び表示器／ＭＤＩユニット７０を介してオペレータが入力した各種データが格納される。
【００２７】
ＣＭＯＳメモリ１４は、図示しないバッテリでバックアップされ、数値制御装置１００の電源がオフされても記憶状態が保持される不揮発性メモリとして構成される。ＣＭＯＳメモリ１４中には、インタフェース１５を介して読み込まれた加工プログラムや、表示器／ＭＤＩユニット７０を介して入力された加工プログラム等が記憶される。
【００２８】
ＲＯＭ１２には、加工プログラムの作成及び編集のために必要とされる編集モードの処理や自動運転のための処理を実施するための各種システムプログラムが、予め書き込まれている。
【００２９】
本発明を実行する加工プログラム等の各種加工プログラムは、インタフェース１５や表示器／ＭＤＩユニット７０を介して入力し、ＣＭＯＳメモリ１４に格納することができる。
【００３０】
インタフェース１５は、数値制御装置１００とアダプタ等の外部機器７２との接続を可能とするものである。外部機器７２側からは加工プログラムや各種パラメータ等が読み込まれる。また、数値制御装置１００内で編集した加工プログラムは、外部機器７２を介して外部記憶手段に記憶させることができる。
【００３１】
ＰＭＣ（プログラマブル・マシン・コントローラ）１６は、数値制御装置１００に内蔵されたシーケンスプログラムで、工作機械の補助装置（例えば、工具交換用のロボットハンドといったアクチュエータ）にＩ／Ｏユニット１７を介して信号を出力して制御する。また、工作機械の本体に配備された操作盤の各種スイッチ等の信号を受け、必要な信号処理をした後、信号をＣＰＵ１１に渡す。
【００３２】
表示器／ＭＤＩユニット７０は、ディスプレイやキーボード等を備えた手動データ入力装置である。インタフェース１８は、表示器／ＭＤＩユニット７０のキーボードからの指令やデータを受けて、これらをＣＰＵ１１に渡す。インタフェース１９は、手動パルス発生器等を備えた操作盤７１に接続されている。
【００３３】
各軸の軸制御回路３０〜３４は、ＣＰＵ１１からの各軸の移動指令量を受けて、各軸の指令をサーボアンプ４０〜４４に出力する。
【００３４】
サーボアンプ４０〜４４は、この指令を受けて、各軸のサーボモータ５０〜５４を駆動する。各軸のサーボモータ５０〜５４は、位置・速度検出器を内蔵し、この位置・速度検出器からの位置・速度フィードバック信号を軸制御回路３０〜３４にフィードバックし、位置・速度のフィードバック制御を行う。なお、ブロック図では、位置・速度のフィードバックについては省略している。
【００３５】
スピンドル制御回路６０は、工作機械への主軸回転指令を受け、スピンドルアンプ６１にスピンドル速度信号を出力する。スピンドルアンプ６１は、このスピンドル速度信号を受けて、工作機械のスピンドルモータ６２を指令された回転速度で回転させ、工具を駆動する。
【００３６】
スピンドルモータ６２には、歯車あるいはベルト等でパルスエンコーダ６３が結合されている。パルスエンコーダ６３は、主軸の回転に同期して帰還パルスを出力する。その帰還パルスは、バス２５を経由してＣＰＵ１１によって読み取られる。
【００３７】
なお、図２に示す数値制御装置１００の構成例では、軸制御回路３０〜３４の５つの軸制御回路と、サーボモータ５０〜５４の５つのサーボモータが示されている。しかし、本発明は、これには限定されず、任意の個数の軸制御回路及びサーボモータを備えることが可能である。
【００３８】
図３は、上記のＣＰＵ１１が、ＲＯＭ１２に格納されたシステムプログラム及びアプリケーションプログラムを、バス２５を介して読み出し、該システムプログラム及びアプリケーションプログラムに従って実現する機能を示す機能ブロック図である。ＣＰＵ１１は、プログラム実行部１１１と、プログラム先読み部１１２と、先読みブロック数算出部１１３と、枯渇ブロック検知部１１４と、先読み振り分け部１１５とを備える。
【００３９】
プログラム実行部１１１は、加工プログラムを実行する。とりわけ本実施形態において、プログラム実行部１１１は、加工プログラムのシミュレーションを実行する。なお、このシミュレーションの際には、単に加工プログラムを空運転するだけではなく、例えば工作機械２００にワークを設置した上で、実際に工作機械２００を動作させることが好ましい。工作機械２００の動作環境や軸構成によって、後述の先読みブロック数の経時変化の態様が異なってくるためである。
【００４０】
プログラム先読み部１１２は、プログラム実行部１１１による加工プログラムのシミュレーションと並列に、当該シミュレーションに先んじて加工プログラムを先読みする。
【００４１】
図４は、プログラム先読み部１１２の構成例である。プログラム先読み部１１２は、第１プログラム先読み部１１２ａ、第２プログラム先読み部１１２ｂ、・・・第ｎプログラム先読み部１１２ｎを備える。これら複数のプログラム先読み部１１２は、互いに加工プログラムの異なる位置から、加工プログラムの先読みを実行する。
【００４２】
先読みブロック数は、プログラム先読み部１１２によって先読みされるブロックの位置や、プログラム実行部１１１によって実行されるブロックの位置が、加工プログラムの終わりとなる箇所では０となる。しかし、通常、先読みブロック数は、０に向かって一様に減少していくわけではなく、加工経路の曲率の変化や軸構成によってブロック毎の処理時間が変化することで、先読みブロック数の減少率は変化する。
【００４３】
とりわけ、加工プログラム内で微小直線が連続する箇所では、プログラム実行部１１１による加工プログラムの実行スピードが速くなり、１ブロック当たりの処理時間が短くなると、先読みブロック数の減少率が高くなる。この場合、加減速動作の決定に使用する先読みブロック数を確保できず、速度変化が一定ではなくなるような速度制御の異常が発生する。
【００４４】
そこで本実施形態では、図４に示されるように、プログラム先読み部１１２は、第１プログラム先読み部１１２ａ、第２プログラム先読み部１１２ｂ、・・・第ｎプログラム先読み部１１２ｎの複数のプログラム先読み部を備える。また、第１プログラム先読み部１１２ａが、加工プログラムの先頭から先読みを実行するのと並行して、第２プログラム先読み部１１２ｂ、・・・第ｎプログラム先読み部１１２ｎが、加工プログラム内で速度制御の異常が発生する可能性の高いブロックから先読みを実行すると共に、先読みしたブロックをメモリに蓄積しておく。更に、プログラム実行部１１１が、当該速度制御の異常が発生する可能性の高いブロックを実行する際には、第２プログラム先読み部１１２ｂ、・・・第ｎプログラム先読み部１１２ｎによって前もって先読みされ、メモリに蓄積されているブロックを実行し、消費する。
【００４５】
なお、以降では説明の簡略化のため、プログラム先読み部１１２が、２つのプログラム先読み部である第１プログラム先読み部１１２ａ及び第２プログラム先読み部１１２ｂを備えるケースについて説明するが、これには限定されない。
【００４６】
先読みブロック数算出部１１３は、プログラム実行部１１１によって実行中のブロックのシーケンス番号と、当該ブロックを実行している時点で、プログラム先読み部１１２によって先読みされるブロックのシーケンス番号との差分である先読みブロック数を算出する。
【００４７】
とりわけ、本実施形態においては、プログラム実行部１１１による加工プログラムの１度目のシミュレーション時に、実行中のブロックのシーケンス番号と、第１プログラム先読み部１１２ａによって先読みされるブロックのシーケンス番号との差分である先読みブロック数を算出する。
【００４８】
枯渇ブロック検知部１１４は、先読みブロック数を規定値と比較し、先読みブロック数が規定値を下回る時点でのブロックを検知する。当該ブロックを、ここでは「枯渇ブロック」と呼称する。
【００４９】
本実施形態においては、加工プログラムの２度目のシミュレーション時や、実加工時に、第１プログラム先読み部１１２ａによって加工プログラムの先頭から先読みを実行すると共に、これと並行して、第２プログラム先読み部１１２ｂによって、「枯渇ブロック」からの先読みを実行する。
【００５０】
先読み振り分け部１１５は、プログラム先読み部１１２によって先読みされるブロックを貯蓄するためのメモリ（例えば、上記のＲＡＭ１３）を、第１プログラム先読み部１１２ａによって用いられる第１領域と、第２プログラム先読み部１１２ｂによって用いられる第２領域とに分割する。更に、先読み振り分け部１１５は、第１プログラム先読み部１１２ａに対して、加工プログラムの先頭から先読みしながら、第１領域に先読みブロックを蓄積する先読みを指示し、第２プログラム先読み部１１２ｂに対して、枯渇ブロックから先読みしながら、第２領域に先読みブロックを蓄積する先読みを指示する。
【００５１】
これにより、第１プログラム先読み部１１２ａは、加工プログラムの先頭から先読みしながら、第１領域に先読みブロックを蓄積し、第２プログラム先読み部１１２ｂは、枯渇ブロックから先読みしながら、第２領域に先読みブロックを蓄積する。プログラム実行部１１１は、最初に第１領域に蓄積されたブロックを実行し、消費した後、第２領域に蓄積されたブロックを実行し、消費する。
【００５２】
図５は、先読み振り分け部１１５による先読みの振り分け例を示す。図５に記載の加工プログラムにおいて、“Ｍ１９８Ｐ０００１（ＲＯＵＧＨ）”は荒加工の指示であり、“Ｍ１９８Ｐ０００２（ＦＩＮＩＳＨ）”は仕上げ加工の指示である。この“Ｍ１９８Ｐ０００２（ＦＩＮＩＳＨ）”は、枯渇ブロックに対応する。
【００５３】
先読み振り分け部１１５は、メモリの上限である１０００ブロック分を、第１プログラム先読み部１１２ａが用いる３００ブロックと、第２プログラム先読み部１１２ｂが用いる７００ブロックに分割し、前者を第１領域、後者を第２領域とする。また、先読み振り分け部１１５は、第１プログラム先読み部１１２ａに対して、加工プログラムの先頭から先読みしながら、第１領域に先読みブロックを蓄積する先読みを指示し、第２プログラム先読み部１１２ｂに対して、第１プログラム先読み部１１２ａによる先読みと並行して、枯渇ブロックである、“Ｍ１９８Ｐ０００２（ＦＩＮＩＳＨ）”から先読みしながら、第２領域に先読みブロックを蓄積する先読みを指示する。これにより、プログラム実行部１１１が枯渇ブロックの処理を開始するのに先んじて、第２領域に枯渇ブロックに含まれる７００ブロック分が蓄積される。プログラム実行部１１１が枯渇ブロックの処理を開始する際には、枯渇ブロックに含まれる７００ブロック分は既に第２領域に蓄積されているため、第２プログラム先読み部１１２ｂは、枯渇ブロック中の７０１ブロック目からの先読みを実行する。
【００５４】
なお、図５において、説明の簡略化のため、メモリは第１領域と第２領域の２つの領域に区画されているが、これには限定されない。例えば、プログラム先読み部１１２の個数に応じて、メモリを３つ以上の任意個数の領域に区画してもよい。
【００５５】
第１実施形態に係る数値制御装置１００は、上記の構成を有することにより、加工プログラム中で、加減速動作の決定に使用する先読みブロック数が不足することにより、速度制御異常が発生する可能性の高い箇所を検知すると共に、先読み処理機能を、加工プログラムの先頭からの先読みと並行して、当該箇所から開始することが可能となる。
【００５６】
図６は、第１実施形態に係る数値制御装置１００による先読みブロック数の平時変化を表すグラフである。
荒加工には３００ブロックしか振り分けられていないため、荒加工中の先読みブロック数は、３００ブロックを維持する。次に、工具交換が必要となったり、キャンセルコードが入ったりすることによる先読み機能停止区間において、先読みブロック数が減少し、やがて０となる。その後、加工プログラム中の仕上げ加工に対応する枯渇ブロックの処理に移行すると、第２プログラム先読み部１１２ｂによって、メモリの第２領域に７００ブロック分が蓄積されているため、先読みブロック数は７００となる。更に、第２プログラム先読み部１１２ｂは、メモリの第２領域に蓄積されたブロック以降のブロックの先読みを開始するため、先読みブロック数は１０００まで増加する。その後、プログラム実行部１１１によって加工プログラムが処理されるに従い、先読みブロック数は減少していくものの、枯渇することはない。
【００５７】
〔１．２  発明の動作〕
以下、図７及び図８を参照することにより、本発明の第１実施形態に係る数値制御装置１００の動作を説明する。
【００５８】
〔１．２．１  枯渇ブロック検知時の動作〕
図７は、枯渇ブロック検知時の動作を示すフローチャートである。
ステップＳ１１において、プログラム実行部１１１は、加工プログラムのシミュレーションを実行する。
【００５９】
ステップＳ１２において、プログラム先読み部１１２（第１プログラム先読み部１１２ａ）は、プログラム実行部１１１による加工プログラムのシミュレーションと並列に、当該シミュレーションに先んじて加工プログラムを先読みする。
【００６０】
ステップＳ１３において、先読みブロック数算出部１１３は、先読みブロック数を算出する。
【００６１】
ステップＳ１４において、先読みブロック数が規定値を下回った場合（Ｓ１４：ＹＥＳ）には、処理はステップＳ１５に移行する。先読みブロック数が規定値以上である場合（Ｓ１４：ＮＯ）には、処理はステップＳ１１及びＳ１２に移行する。
【００６２】
ステップＳ１５において、枯渇ブロック検知部１１４は枯渇ブロックを検知する。
【００６３】
〔１．２．２  先読み振り分け時の動作〕
図８は、先読み振り分け時の動作を示すフローチャートである。
ステップＳ２１において、先読み振り分け部１１５は、加工プログラムの先読みを、第１プログラム先読み部１１２ａと第２プログラム先読み部１１２ｂに振り分ける。
より詳細には、先読み振り分け部１１５は、プログラム先読み部１１２によって先読みされるブロックを貯蓄するためのメモリを、第１プログラム先読み部１１２ａによって用いられる第１領域と、第２プログラム先読み部１１２ｂによって用いられる第２領域とに分割する。更に、先読み振り分け部１１５は、第１プログラム先読み部１１２ａに対して、加工プログラムの先頭から先読みしながら、第１領域に先読みブロックを蓄積する先読みを指示し、第２プログラム先読み部１１２ｂに対して、枯渇ブロックから先読みしながら、第２領域に先読みブロックを蓄積する先読みを指示する。
【００６４】
ステップＳ２２において、プログラム実行部１１１は、加工プログラムを実行する。
ステップＳ２３において、第１プログラム先読み部１１２ａは、プログラム実行部１１１による加工プログラムの実行と並列に、当該実行に先んじて、加工プログラムを先頭から先読みする。
【００６５】
ステップＳ２４において、第２プログラム先読み部１１２ｂは、及び第１プログラム先読み部１１２ａによる加工プログラムの先読みと並列に、加工プログラムを枯渇ブロックから先読みする。
【００６６】
〔１．３  第１実施形態の効果〕
本発明の第１実施形態に係る数値制御装置１００は、加工プログラムの実行と並列して、加工プログラムを異なるブロックから同時に先読みする、第１プログラム先読み部１１２ａ及び第２プログラム先読み部１１２ｂとを含むプログラム先読み部１１２を備え、更に、メモリを少なくとも第１領域及び第２領域に区画し、第１プログラム先読み部１１２ａに対して、第１領域に先読みブロックを蓄積する先読みを指示し、第２プログラム先読み部１１２ｂに対して、第２領域に先読みブロックを蓄積する先読みを指示する先読み振り分け部１１５を備える。
【００６７】
これにより、送り速度や切削速度等の安定化のため、加工プログラム中で、加減速動作の決定に使用する先読みブロック数が不足することにより、速度制御異常が発生する可能性の高い箇所を検知すると共に、先読み処理機能を当該箇所から開始することが可能となる。
【００６８】
また、数値制御装置１００は、先読みブロック数を算出する先読みブロック数算出部１１３と、先読みブロック数が規定値を下回る時点のブロックである枯渇ブロックを検知する枯渇ブロック検知部１１４を更に備え、先読み振り分け部１１５は、枯渇ブロックを検知した後、第１プログラム先読み部１１２ａに対し、加工プログラムの開始ブロックからの先読みを指示し、第２プログラム先読み部１１２ｂに対し、枯渇ブロックからの先読みを指示する。
【００６９】
これにより、数値制御装置１００は、加工プログラムの先頭からの先読みと、先読みブロック数が不足する枯渇ブロックからの先読みとを同時並行で実行することが可能となる。
【００７０】
〔２  第２実施形態〕
以下、本発明の第２実施形態について図９及び図１０を参照することにより説明する。なお、以下では説明の簡略化のため、主として、第２実施形態に係る数値制御装置１００Ａが、第１実施形態に係る数値制御装置１００と相違する点について説明する。
【００７１】
〔２．１  発明の構成〕
第２実施形態に係る数値制御装置１００Ａは、第１実施形態に係る数値制御装置１００に比較して、ＣＰＵ１１の代わりにＣＰＵ１１Ａを備える点で異なる。
【００７２】
図９は、ＣＰＵ１１Ａの機能ブロック図である。ＣＰＵ１１Ａは、ＣＰＵ１１と異なり、先読みブロック数算出部１１３及び枯渇ブロック検知部１１４を備えず、その代わりに、加工精度指数算出部１１６及び加工精度要求ブロック検知部１１７を備える。
【００７３】
加工精度指数算出部１１６は、加工プログラムを構成する各ブロックで、どの程度の加工精度を要求しているかを示す加工精度指数を算出する。加工精度指数算出部１１６は、例えば、各ブロックで加工される微小直線の本数や、各ブロックに紐づけられるサブルーチンの行数等に基づいて、加工精度指数を算出する。
【００７４】
加工精度要求ブロック検知部１１７は、加工精度指数を規定値と比較し、加工精度指数が規定値を上回る時点でのブロックを検知する。当該ブロックを、ここでは「加工精度要求ブロック」と呼称する。
【００７５】
本実施形態においては、加工プログラムの２度目のシミュレーション時や、実加工時に、第１プログラム先読み部１１２ａによって加工プログラムの先頭から先読みを実行し、これと並行して、第２プログラム先読み部１１２ｂによって、「加工精度要求ブロック」からの先読みを実行する。
【００７６】
〔２．２  発明の動作〕
以下、図１０を参照することにより、本発明の第２実施形態に係る数値制御装置１００Ａの動作を説明する。
【００７７】
〔２．２．１  加工精度要求ブロック検知時の動作〕
図１０は、加工精度要求ブロック検知時の動作を示すフローチャートである。
ステップＳ３１において、プログラム実行部１１１は、加工プログラムのシミュレーションを実行する。
【００７８】
ステップＳ３２において、プログラム先読み部１１２（第１プログラム先読み部１１２ａ）は、プログラム実行部１１１による加工プログラムのシミュレーションと並列に、当該シミュレーションに先んじて加工プログラムを先読みする。
【００７９】
ステップＳ３３において、加工精度指数算出部１１６は、加工精度指数を算出する。
【００８０】
ステップＳ３４において、加工精度指数が規定値を上回った場合（Ｓ３４：ＹＥＳ）には、処理はステップＳ３５に移行する。加工精度指数が規定値以下である場合（Ｓ３４：ＮＯ）には、処理はステップＳ３１及びＳ３２に移行する。
【００８１】
ステップＳ３５において、加工精度要求ブロック検知部１１７は加工精度要求ブロックを検知する。
【００８２】
〔２．２．２  先読み振り分け時の動作〕
第２実施形態に係る数値制御装置１００Ａにおける先読み振り分け時の動作は、第２プログラム先読み部１１２ｂが、枯渇ブロックの代わりに加工精度要求ブロックから先読みする点を除いて、第１実施形態に係る数値制御装置１００における先読み振り分け時の動作と同一であるため、その説明を省略する。
【００８３】
〔２．３  第２実施形態の効果〕
数値制御装置１００Ａは、加工プログラムの各ブロックにおける加工精度を示す加工精度指数を算出する加工精度指数算出部１１６と、加工精度指数が規定値を上回る時点のブロックである加工精度要求ブロックを検知する加工精度要求ブロック検知部１１７とを更に備え、先読み振り分け部１１５は、加工精度要求ブロックを検知した後、第１プログラム先読み部１１２ａに対し、加工プログラムの開始ブロックからの先読みを指示し、第２プログラム先読み部１１２ｂに対し、加工精度要求ブロックからの先読みを指示する。
【００８４】
これにより、数値制御装置１００Ａは、加工プログラムの先頭からの先読みと、高い加工精度が要求される加工精度要求ブロックからの先読みとを同時並行で実行することが可能となる。
【００８５】
〔４．変形例〕
〔４．１  変形例１〕
上記の第１実施形態では、枯渇ブロック検知部１１４は、先読みブロック数が規定値を下回る時点のブロックを枯渇ブロックとしたが、これには限られない。例えば、枯渇ブロック検知部１１４は、先読みブロック数の減少率が規定値を超えた時点でのブロックを枯渇ブロックとしてもよい。
【００８６】
〔４．２  変形例２〕
上記の実施形態において、枯渇ブロック検知時の動作や加工精度要求ブロック検知時の動作は、プログラム実行部１１１による加工プログラムのシミュレーションを実行する際の動作としたが、これには限られない。例えば、数値制御装置１００又は１００Ａが工作機械２００を制御することによる実加工中に、同様の動作を実行してもよい。
【００８７】
〔４．３  変形例３〕
上記の実施形態において、数値制御装置１００は、枯渇ブロックの位置を検知し、第２プログラム先読み部１１２ｂは、枯渇ブロックからの先読みを実行するとしたが、これには限定されない。例えば、数値制御装置１００は、枯渇ブロックの位置の代わりに、枯渇ブロックに対応する、加工プログラムの実行を開始してからの秒数を検知し、第２プログラム先読み部１１２ｂは、この秒数からの先読みを実行してもよい。
同様に、数値制御装置１００Ａは、加工精度要求ブロックの位置の代わりに、加工精度要求ブロックに対応する、加工プログラムの実行を開始してからの秒数を検知し、第２プログラム先読み部１１２ｂは、この秒数からの先読みを実行してもよい。
【００８８】
以上、本発明の実施形態について説明したが、本発明は前述した実施形態に限るものではない。また、本実施形態に記載された効果は、本発明から生じる最も好適な効果を列挙したに過ぎず、本発明による効果は、本実施形態に記載されたものに限定されるものではない。
【００８９】
数値制御装置１００又は１００Ａによる制御方法は、ソフトウェアにより実現される。ソフトウェアによって実現される場合には、このソフトウェアを構成するプログラムが、コンピュータ（数値制御装置１００又は１００Ａ）にインストールされる。また、これらのプログラムは、リムーバブルメディアに記録されてユーザに配布されてもよいし、ネットワークを介してユーザのコンピュータにダウンロードされることにより配布されてもよい。更に、これらのプログラムは、ダウンロードされることなくネットワークを介したＷｅｂサービスとしてユーザのコンピュータ（数値制御装置１００又は１００Ａ）に提供されてもよい。
【符号の説明】
【００９０】
１０  制御システム
１００  数値制御装置
１１１  プログラム実行部
１１２  １１２ａ  １１２ｂ  １１２ｎ  プログラム先読み部
１１３  先読みブロック数算出部
１１４  枯渇ブロック検知部
１１５  先読み振り分け部
１１６  加工精度指数算出部
１１７  加工精度要求ブロック検知部
２００  工作機械
【図１】
2020071696.tif 000003
【図２】
2020071696.tif 000004
【図３】
2020071696.tif 000005
【図４】
2020071696.tif 000006
【図５】
2020071696.tif 000007
【図６】
2020071696.tif 000008
【図７】
2020071696.tif 000009
【図８】
2020071696.tif 000010
【図９】
2020071696.tif 000011
【図１０】
2020071696.tif 000012
【図１１】
2020071696.tif 000013
【図１２】
2020071696.tif 000014